(57)【要約】複数の組織単位を有するプロセス産業プラントの安全性評価を確立する。複数の組織単位について所定の諸側面についての検査または質問に基づくスコアが保存される。スコアから、組織単位のそれぞれについて、各側面についての側面別スコアが計算される。諸組織単位の諸側面別スコアから安全性評価が確立される。【特許請求の範囲】
【請求項１】
複数の組織単位を有するプロセス産業プラントの安全性評価を確立するコンピュータ・ベースの方法であって：
コンピュータ内にスコアを保存し、各スコアは、前記組織単位の一つにおいて、そのプラントの複数の所定の側面の一つに関して挙行された検査の格付けおよび前記諸側面の一つに関係する質問からなる一組の所定の質問の一つへの応答として前記組織単位の一つを代表する人間によって与えられた答えのうちの一方に関係するものであり、
前記コンピュータ内で、前記スコアのそれぞれを、前記組織単位の個別のものに、および前記諸側面の個別のものに割り当て、
前記コンピュータ内で、前記組織単位の個別のものおよび前記諸側面の個別のものに割り当てられたスコアから、前記組織単位のそれぞれについて諸側面別スコアを計算し、前記組織単位の特定のものに対し、前記組織単位の該特定のものにある個別の側面について最悪ケースのスコアが割り当てられている場合には、その最悪ケースの側面別スコアが割り当てられるようにし、
前記安全性評価を、前記諸組織単位の諸側面別スコアから確立する、
ことを含む方法。
【請求項２】
前記コンピュータによって、前記組織単位のうちの選択された組織単位の安全性評価の、一つの共通グラフでのグラフィック表現が生成され、該グラフに前記組織単位のうちの前記選択された組織単位の前記の諸側面別スコアが示されるのは、前記諸側面別スコアの最良ケース・スコアからの不足が視覚化され、前記組織単位のうちの前記選択された組織単位の前記の諸側面別スコアどうしの間の違いが視覚化されるような仕方でである、請求項１記載の方法。
【請求項３】
異なる複数の時点において異なる複数の安全性評価が確立され；該異なる安全性評価に関連付けられた諸側面別スコアが前記コンピュータ内で、それぞれの時点についてのデータに割り当てられて保存され；前記組織単位のうちのある選択された組織単位の前記異なる複数の安全性評価の一つの共通グラフでのグラフィック表現が、前記コンピュータによって生成され、それにより、前記組織単位のうちの前記選択された組織単位の前記異なる複数の安全性評価に関連付けられた諸側面別スコアどうしの間の違いが視覚化されるようにされる、請求項１または２記載の方法。
【請求項４】
前記コンピュータにおいて、前記組織単位の前記側面別スコアから、前記プラントについての全体的側面別スコアが計算され；前記コンピュータによって、そのプラントの安全性評価の一つの共通グラフにおけるグラフィック表現が生成され、該グラフ中で前記全体的側面別スコアが示されるのは、前記全体的側面別スコアの最良ケース全体的スコアからの不足が視覚化され、全体的側面別スコアどうしの間の違いが視覚化されるような仕方でである、請求項１ないし３のうちいずれか一項記載の方法。
【請求項５】
前記スコアは、プロアクティブなプロセス安全性管理の存在を示す最良ケースのスコアの値と、現在の経験によって駆動されるプロセス安全性管理の存在を示す第一レベルのスコアの値と、受け容れられているプロセス安全性管理プラクティスの存在を示す第二レベルのスコアの値と、基本的要件の存在を示す第三レベルのスコアの値と、基本的要件の不在を示す最悪ケースのスコアの値とを含む、請求項１ないし４のうちいずれか一項記載の方法。
【請求項６】
検査および答えについてのデータが前記コンピュータ内に保存され、前記コンピュータ内で、検査および答えについての該データから、エキスパート・システムによって、前記検査および前記答えの格付けが決定される、請求項１ないし５のうちいずれか一項記載の方法。
【請求項７】
前記プラントの前記所定の諸側面には、組織の側面、資源の側面、連絡の側面、訓練の側面、手順の側面、緊急事態対策の側面および一般的安全性の側面のうちの一つまたは複数が含まれる、請求項１ないし６のうちいずれか一項記載の方法。
【請求項８】
前記プラントの前記組織単位には、経営トップ、運用、エンジニアリング、検査、保守および損失防止のうちの一つまたは複数が含まれる、請求項１ないし７のうちいずれか一項記載の方法。
【請求項９】
前記組織単位が前記プラントの階層的レベルに関係する、請求項１ないし１０のうちいずれか一項記載の方法。
【請求項１０】
前記質問が、安全性意識、安全性行動、変更管理および人為的ミスに関係する質問を含む、請求項１ないし９のうちいずれか一項記載の方法。
【請求項１１】
複数の組織単位を有するプロセス産業プラントの安全性評価を確立するコンピュータ・システムであって：
スコアを保存し、前記スコアのそれぞれを、前記組織単位の個別のものに、および前記諸側面の個別のものに割り当てる記録モジュールであって、各スコアは、前記組織単位の一つにおいて、そのプラントの複数の所定の側面の一つに関して挙行された検査の格付けおよび前記諸側面の一つに関係する質問からなる一組の所定の質問の一つへの応答として前記組織単位の一つを代表する人間によって与えられた答えのうちの一方に関係するものであるような記録モジュールと、
前記組織単位の個別のものおよび前記諸側面の個別のものに割り当てられたスコアから、前記組織単位のそれぞれについて諸側面別スコアを計算し、ここで、前記組織単位の特定のものに対し、前記組織単位の該特定のものにある個別の側面について最悪ケースのスコアが割り当てられている場合には、その最悪ケースの側面別スコアが割り当てられ、前記安全性評価を、前記諸組織単位の諸側面別スコアから確立する計算モジュールとを有するシステム。
【請求項１２】
前記組織単位のうちの選択された組織単位の安全性評価の、一つの共通グラフでのグラフィック表現を生成する出力モジュールをさらに有しており、該グラフに前記組織単位のうちの前記選択された組織単位の前記の諸側面別スコアが示されるのは、前記諸側面別スコアの最良ケース・スコアからの不足が視覚化され、前記組織単位のうちの前記選択された組織単位の前記の諸側面別スコアどうしの間の違いが視覚化されるような仕方でである、請求項１１記載のシステム。
【請求項１３】
前記計算モジュールは、異なる複数の時点において異なる複数の安全性評価を確立するよう構成されており；前記記録モジュールは、該異なる安全性評価に関連付けられた諸側面別スコアを、それぞれの時点についてのデータに割り当てられて保存するよう構成されており；当該システムが、前記組織単位のうちのある選択された組織単位の前記異なる複数の安全性評価の一つの共通グラフでのグラフィック表現を生成する出力モジュールをさらに有しており、それにより、前記組織単位のうちの前記選択された組織単位の前記異なる複数の安全性評価に関連付けられた諸側面別スコアどうしの間の違いが視覚化されるようにされる、請求項１１または１２記載のシステム。
【請求項１４】
前記計算モジュールが、前記組織単位の前記側面別スコアから、前記プラントについての全体的側面別スコアを計算するよう構成され；当該システムが、そのプラントの安全性評価の一つの共通グラフにおけるグラフィック表現を生成する出力モジュールをさらに有しており、該グラフ中で前記全体的側面別スコアが示されるのは、前記全体的側面別スコアの最良ケース全体的スコアからの不足が視覚化され、全体的側面別スコアどうしの間の違いが視覚化されるような仕方でである、請求項１１ないし１３のうちいずれか一項記載のシステム。
【請求項１５】
前記記録モジュールが検査および答えについてのデータを保存するよう構成されており、当該システムが検査および答えについての該データから前記検査および前記答えの格付けを決定するよう構成されているエキスパート・システムをさらに含む、請求項１１ないし１４のうちいずれか一項記載のシステム。
【請求項１６】
コンピュータの一つまたは複数のプロセッサを制御するコンピュータ・プログラム・コード手段を有するコンピュータ・プログラム・プロダクトであって、該制御が前記コンピュータをして：
スコアを保存し、各スコアは、プロセス産業プラントの組織単位の一つにおいて、そのプラントの複数の所定の側面の一つに関して挙行された検査の格付けおよび前記諸側面の一つに関係する質問からなる一組の所定の質問の一つへの応答として前記組織単位の一つを代表する人間によって与えられた答えのうちの一方に関係するものであり、
前記スコアのそれぞれを、前記組織単位の個別のものに、および前記諸側面の個別のものに割り当て、
前記組織単位の個別のものおよび前記諸側面の個別のものに割り当てられたスコアから、前記組織単位のそれぞれについて諸側面別スコアを計算し、前記組織単位の特定のものに対し、前記組織単位の該特定のものにある個別の側面について最悪ケースのスコアが割り当てられている場合には、その最悪ケースの側面別スコアが割り当てられるようにし、
前記諸組織単位の諸側面別スコアから安全性評価を確立する、
ことを実行させるものである、コンピュータ・プログラム・プロダクト。
【請求項１７】
前記プロセッサを制御するさらなるコンピュータ・プログラム・コード手段を有する請求項１６記載のコンピュータ・プログラム・プロダクトであって、該制御が前記コンピュータをして、前記組織単位のうちの選択された組織単位の安全性評価の、一つの共通グラフでのグラフィック表現を生成させ、該グラフに前記組織単位のうちの前記選択された組織単位の前記の諸側面別スコアが示されるのは、前記諸側面別スコアの最良ケース・スコアからの不足が視覚化され、前記組織単位のうちの前記選択された組織単位の前記の諸側面別スコアどうしの間の違いが視覚化されるような仕方でである、コンピュータ・プログラム・プロダクト。
【請求項１８】
前記プロセッサを制御するさらなるコンピュータ・プログラム・コード手段を有する請求項１６または１７記載のコンピュータ・プログラム・プロダクトであって、該制御が前記コンピュータをして、異なる複数の時点において異なる複数の安全性評価を確立し、該異なる安全性評価に関連付けられた諸側面別スコアを、それぞれの時点についてのデータに割り当てられて保存し、前記組織単位のうちのある選択された組織単位の前記異なる複数の安全性評価の一つの共通グラフでのグラフィック表現を生成し、それにより、前記組織単位のうちの前記選択された組織単位の前記異なる複数の安全性評価に関連付けられた諸側面別スコアどうしの間の違いが視覚化されるようにすることをさせる、コンピュータ・プログラム・プロダクト。
【請求項１９】
前記プロセッサを制御するさらなるコンピュータ・プログラム・コード手段を有する請求項１６ないし１８のうちいずれか一項記載のコンピュータ・プログラム・プロダクトであって、該制御が前記コンピュータをして、前記組織単位の前記側面別スコアから、前記プラントについての全体的側面別スコアを計算し、そのプラントの安全性評価の一つの共通グラフにおけるグラフィック表現を生成し、該グラフ中で前記全体的側面別スコアが示されるのは、前記全体的側面別スコアの最良ケース全体的スコアからの不足が視覚化され、全体的側面別スコアどうしの間の違いが視覚化されるようにすることをさせる、コンピュータ・プログラム・プロダクト。
【請求項２０】
前記プロセッサを制御するさらなるコンピュータ・プログラム・コード手段を有する請求項１６ないし１９のうちいずれか一項記載のコンピュータ・プログラム・プロダクトであって、該制御が前記コンピュータをして、検査および答えについてのデータを保存し、検査および答えについての該データからエキスパート・システムによって前記検査および前記答えの格付けを決定することをさせる、請求項１６ないし１９のうちいずれか一項記載のコンピュータ・プログラム・プロダクト。
【発明の詳細な説明】
【技術分野】
【０００１】
本発明は、プロセス産業プラントの安全性評価のためのコンピュータ・システムおよびコンピュータ・ベースの方法に関する。より詳細には、本発明は複数の組織単位を有するプロセス産業プラントの安全性評価を確立するためのコンピュータ・システムおよびコンピュータ・ベースの方法に関する。
【背景技術】
【０００２】
プロセス産業（process  industry）、たとえば石油産業は一般的にさまざまな単位操作のカスケード効果に基づいている。換言すれば、プロセス産業は典型的には、システムの一連のカスケードされたコンポーネントにおいて実行される逐次的なステップを通じて入力材料が出力生成物に処理される入出力システムに依拠している。システム中のどの点での中断も全体的なプロセスの停止を引き起こす。その結果、プロセス・ステップの中断はダウン時間を引き起こし、それは生産の損失につながる。したがって、ダウン時間を減らし、平均故障間隔を増し、プロセス・プラントにおける装置の劣化を防止することが一般的な関心事である。また、人間および環境への危害を防止するため、プロセス・プラントに事故がないことを保証することが多大な関心事である。残念ながら、プロセス産業はいくつかの主要な惨事を経験してきた。たとえばボパール（インド、1984年）、フリクスバラ（イングランド、1974年）やセヴェソ（イタリア、1976年）の惨事である。上記の惨事の理由は安全管理の不十分さ、たとえば過失、エンジニアリング・プラクティスに従わない作業、不十分な保守計画に帰されてきた。プロセス安全性管理は、事故を防止し、ダウン時間を減らすために不可欠である。プロセス安全性管理をモニタリングし、改良するためには、プロセス産業プラントの安全性を評価することも必要である。
【発明の開示】
【発明が解決しようとする課題】
【０００３】
複数の組織単位を有するプロセス産業プラントの安全性を評価するためのコンピュータ・システムおよびコンピュータ・ベースの方法を提供することが本発明の目的である。
【課題を解決するための手段】
【０００４】
本発明によれば、これらの目的は、特に独立請求項の特徴を通じて達成される。さらに、従属請求項および明細書からさらなる有利な実施形態が得られる。
【０００５】
本発明によれば、上記の目的は特に、プロセス産業プラントの安全性評価を確立するために、コンピュータ内にスコアが保存されることにおいて達成される。ここで、各スコアは、そのプラントの組織単位の一つにおいて、そのプラントの複数の所定の側面の一つに関して挙行された検査の格付けおよび／または前記諸側面の一つに関係する質問からなる一組の所定の質問への応答としてそのプラントの組織単位の一つを代表する人間が与えた答えに関係する。プロセス産業プラントは、経営トップ、運用（operation）、エンジニアリング、検査、保守および／または損失防止といった組織単位を含む。たとえば、組織単位はプラントの階層的レベルに関係する。所定の諸側面は、そのプラントの種々の安全性関連側面と見ることができ、たとえば組織の側面、資源の側面、連絡の側面、訓練の側面、手順の側面、緊急事態対策の側面および／または一般的安全性の側面を含む。コンピュータでは、前述のスコアのそれぞれが、組織単位の一つ一つに、そして前記諸側面の一つ一つに割り当てられる。前記質問は、たとえば、安全性意識、安全性行動、変更管理および／または人為的ミスに関係する質問を含む。前記コンピュータに前記スコアを保存したのち、前記組織単位の一つ一つおよび前記諸側面の一つ一つに割り当てられたスコアから、前記組織単位のそれぞれについて諸側面別スコアが計算される。ある特定の側面について前記組織単位の特定の一つに割り当てられた一つの最悪ケース・スコアがあれば、その特定の側面に関して、前記組織単位のその特定の一つには、最悪ケースの側面別スコアが割り当てられる。最後に、安全性評価は、前記諸組織単位の諸側面別スコアから確立される。前記組織単位のそれぞれについて諸側面別スコアを計算し、これらの側面別スコアから安全性評価を確立することにより、責任および専門知識のレベルおよび領域が異なる組織単位間で直接に個別の諸側面に関する安全性レベルを比較することが可能になる。特定の側面に割り当てられた少なくとも一つの最悪ケース・スコアをもつ組織単位に最悪ケースの側面別スコアを割り当てることにより、基本的諸要件の失敗が重み付けされ、その個別側面に関係する他の検査および／または質問について受領されるポジティブなスコアによって補償され得ないようにできる格付け哲学を実施することが可能になる。基本的諸要件のいかなる失敗も、事故および／またはダウン時間につながる事件を引き起こす可能性がある潜在的な失敗を表すので、基本的諸要件の失敗の明確かつ明示的な指示は有利である。
【０００６】
ある好ましい実施形態では、前記コンピュータによって、前記組織単位のうちの選択された組織単位の安全性評価の、一つの共通グラフにおけるグラフィック表現が生成される。該グラフに前記組織単位のうちの前記選択された組織単位の前記の諸側面別スコアが示され、それにより、前記側面別スコアの最良ケース・スコアからの不足が視覚化され、前記組織単位のうちの前記選択された組織単位の前記の諸側面別スコアどうしの間の違いが視覚化される。ある組織単位の計算された諸側面別スコアを一つの共通のグラフに表示することにより、そのプラントについて定義されたさまざまな（安全性）側面に関しての、ある組織単位の安全性評価の、効率的な概観が可能になる。ここで、ある組織単位の諸側面別スコアはグラフにおいて直接比較できる。報告書を読む必要なしに、ある部門の、個別の（安全性）側面に関する不足が一目で見て取れる。
【０００７】
好ましくは、異なる時点において異なる安全性評価が確立される。該異なる安全性評価に関連付けられた側面別スコアが前記コンピュータ内で、それぞれの時点についてのデータに関連付けられて保存される。前記組織単位のうちの選択された組織単位の前記異なる安全性評価の一つの共通のグラフでのグラフィック表現が、前記コンピュータによって生成される。該グラフィック表現が一つの共通のグラフで生成されるのは、前記組織単位のうちの前記選択された組織単位の前記異なる安全性評価に関連付けられた諸側面別スコアどうしの間の違いが視覚化されるような仕方でである。異なる時点における複数の安全性評価を確立し、該異なる時点についての組織単位の関係した諸側面別スコアを一つの共通のグラフに表示することにより、ある部門の、該異なる（安全性）側面に関する改善および／または悪化を効率的に一目で見ることが可能になる。
【０００８】
ある実施形態では、前記コンピュータにおいて、前記組織単位の前記の諸側面別スコアから、前記プラントについての全体的側面別スコアが計算される。さらに、前記コンピュータによって、そのプラントの安全性評価の一つの共通グラフにおけるグラフィック表現が生成される。前記全体的側面別スコアが前記グラフ中で示されることにより、前記全体的側面別スコアの最良ケース全体スコアからの不足が視覚化され、全体的側面別スコアどうしの間の違いが視覚化される。
【０００９】
そのプラントについての全体的側面別スコアを計算し、それらの全体スコアを一つの共通のグラフに表示することにより、そのプラントについて定義されたさまざまな（安全性）側面に関するそのプラントの安全性評価の、効率的な概観が可能になる。ここで、前記全体的側面別スコアはグラフにおいて直接比較できる。報告書を読む必要なしに、個別の（安全性）側面に関するそのプラントの不足が一目で見て取れる。
【００１０】
あるさらなる実施形態では、検査および／または答えについてのデータは前記コンピュータ内に保存される。その後、前記コンピュータ内で、検査および／または答えについての該データから、エキスパート・システムによって、前記検査および／または前記答えの格付けが決定される。検査および答えの自動化された格付けは、効率および格付けプロセスの一貫性を向上させる。
【００１１】
プロセス産業プラントの安全性評価を確立するためのコンピュータ・システムおよびコンピュータ・ベースの方法に加えて、本発明は、コンピュータが前記プロセス産業プラントの安全性評価を確立するための前記方法を実行するよう、前記コンピュータの一つまたは複数のプロセッサを制御するコンピュータ・プログラム・コード手段を含むコンピュータ・プログラム・プロダクト、特に該コンピュータ・プログラム・コード手段を含んでいるコンピュータ可読媒体を含むコンピュータ・プログラム・プロダクトにも関する。
【００１２】
本発明について、例として、図面を参照しつつより詳細に説明する。
【発明を実施するための最良の形態】
【００１３】
図１では、参照番号１はコンピュータ、たとえばパーソナル・コンピュータを表す。概略的に示されるように、コンピュータ１はディスプレイ１７、少なくとも一つのプロセッサ１１、データおよびプログラムを保存するためのメモリ１２ならびにいくつかの機能モジュール、すなわち記録モジュール１３、計算モジュール１４、出力モジュール１５および任意的にエキスパート・システム１６を含んでいる。好ましくは、機能モジュールは、プログラムされたソフトウェア・モジュールとして実装される。ソフトウェア・モジュールのコンピュータ・プログラム・コードはコンピュータ・プログラム・プロダクトの一部であり、好ましくはコンピュータ１内でコンピュータ１に固定的または取り外し可能式に接続されているコンピュータ可読媒体上に保存される。当業者は、機能モジュールが完全にまたは部分的にハードウェアによって実装されることもできることを理解するであろう。機能モジュールのさまざまな機能は、下記で図２、図３および図５を参照してより詳細に述べる。プリント出力を生成するため、コンピュータ１は通信リンク１８を介してプリンタ４に接続されている。通信リンク１４はケーブルおよび／またはネットワーク接続を含む。
【００１４】
以下の段落では、提案される方法のステップの実行について、図２、図３および図５を参照して述べる。図２は、提案される方法のステップの可能なシーケンスを示す流れ図を示している。図３は、記録モジュール１３によって提供され、ディスプレイ１７上に表示される、提案される方法の実行を制御し、コンピュータ１とデータを交換するための、可能なグラフィカル・ユーザー・インターフェース６を示している。図５は、出力モジュール１５によって提供され、ディスプレイ１７上に表示される、確立された安全性評価についての当該コンピュータの出力を制御するための、可能なグラフィカル・ユーザー・インターフェース７を示している。
【００１５】
ステップＳ１では、プロセス産業プラントを指定するための情報がコンピュータ１に入力される。ユーザー・インターフェース６では、該組織を同定する情報が、入力フィールド６１において名前またはコードとして入力される。該組織はまた、選択リストから、たとえばドロップダウン・リストによって選択されることもできる。
【００１６】
ステップＳ２では、監査または安全性評価を定義する情報がコンピュータ１に入力される。この情報は、監査番号、監査名および／または監査日として入力フィールド６２に入力される。監査または安全性評価はまた、選択リストから、たとえばドロップダウン・リストによって選択されることもできる。好ましくは、監査または安全性評価を定義する情報と一緒に、該監査または安全性評価の時点（日時）についてのデータが保存される。
【００１７】
ステップＳ３では、ステップＳ１で指定されたプラントの、ある組織単位が、コンピュータ１内で選択される。ユーザー・インターフェース６では、組織単位はドロップダウン・リスト６３から選択されるが、組織単位を入力フィールドを通じてまたはその他の手段、たとえばラジオボタンによって入力することも可能である。組織単位は、たとえば「経営トップ」、「運用」、「エンジニアリング」、「検査」、「保守」および「損失防止」を含む。ある実施形態では、組織単位は当該プラントの階層レベル、たとえば経営トップ、中間管理層、監督者、職場主任、作業者などに関係する。図３に示される例では、組織単位「経営トップ」が選択されている。
【００１８】
ステップＳ４では、ステップＳ３で選択された組織単位の人（すなわち、インタビュー対象者）がコンピュータ１内で選択される。その人物は、ユーザー・インターフェース６ではドロップダウン・リスト６４から選択される。好ましくは、ドロップダウン・リストは、ステップＳ１で選択されたプラントおよびステップＳ３で選択された組織単位に基づいて、コンピュータ１によって中身が入れられる。しかしながら、その人物を、入力フィールドを通じて名前またはコードとして入力することも可能である。
【００１９】
【表１】
2009512036.tif 000002
ステップＳ５では、一つまたは複数の所定の質問が出力として提供される。ユーザー・インターフェース６では、質問は、テキスト・フィールド６６１に表示されるテキストの形において提供される。図３の例では、複数の質問がスクロール・ウィンドウ６６内に並行して表示される。スクロール・ウィンドウ６６は、スクロール・バー６７によって制御される。質問は、可聴な発話テキストの形で提供されることもできる。質問のプリント出力をプリンタ４で生成することも可能である。質問はメモリ１２に、あるいはコンピュータ１に挿入されるデータ担体に保存されている。表１に示されるように、各質問は識別情報q1,q2,...,ql,ql+1,...,qj,qj+1,...,qnおよび内容t1,t2,...,tl,tl+1,...,tj,tj+1,...,tnを含んでいる。内容t1,t2,...,ti,ti+1,...,tj,tj+1,...,tnは英数字のテキスト・データ、オーディオ・データまたはエンコードされた発話情報を含む。質問の内容は、安全性意識、安全性行動、変更管理および人為的ミスといった論点に関係している。やはり表１に示されるように、各質問は、そのプラントについて定義されたいくつかの安全性関連側面：組織、資源、連絡、訓練、手順、緊急事態対策および一般的安全性の一つに割り当てられている。
【００２０】
ステップＳ６では、ステップＳ５において出力として提供された質問のそれぞれについて答えが受領される。たとえば、質問は人間のインタビュー者によって受領される。答えはコンピュータ１によって受領され、データの形で保存されることもできる。たとえば、答えデートは、ユーザー・インターフェース６の入力フィールド（図示せず）に入力されたテキストまたはコード、あるいはマイクロホン、オーディオ・プロセッサおよび発話プロセッサによって入力されたオーディオまたはエンコードされた発話情報を含む。
【００２１】
ステップＳ７では、ステップＳ６で受領された答えが格付けされる。ユーザー・インターフェース６において、ステップＳ６で受領された答えについて、低（「0」）から高（「4」）までの範囲のスコアが手動でそれぞれの質問に割り当てられることができる。表２に示されるように、これらの答えの格付けは、当該質問が、それぞれのプラントの組織単位において、プロアクティブなプロセス安全性管理が従われている（最良スコア）、プロセス安全性管理が現在の経験によって駆動されている（第一レベルのスコア）、受け容れられるプロセス安全性管理プラクティスが従われている（第二レベルのスコア）、基本的な（安全性）要件が満たされている（第三レベルのスコア）または前記基本的要件が満たされていない（最悪レベルのスコア）ことのいずれを示すかに依存して行われる。
【００２２】
【表２】
2009512036.tif 000003
図３の例では、質問に割り当てられたラジオボタン６５の一つをクリックすることによってスコアが入力される。たとえば、スクロール・ウィンドウ６６のいちばん上にリストされている質問について受領された答えは、第二レベルのスコア（「2」）をもって格付けされた。ステップＳ５でコンピュータ１によって保存された答えデータも、コンピュータ１により、たとえば規則に基づくエキスパート・システム１６によって自動的に格付けされることができる。
【００２３】
ステップＳ８では、コンピュータ１はメモリ１２に、前記質問について受領された答えに割り当てられているスコアを保存する。表３に示されるように、各スコアは、質問q1,q2,...,  qnおよび受領されたその特定の答えが関わる安全性関連側面に割り当てられる。さらに、その答えを提供する人物p1,p2,...,pnおよびその人物によって代表される組織単位の識別情報が各スコアに割り当てられる。
【００２４】
ステップＳ９で、出力として提供されるべきさらなる質問があると判定されれば、次にアクティブ化される質問または質問の組がステップＳ５で提供される。そうでなく、提供されるべき質問がもうなく、すべての質問に、それに提供された答えについてスコアが割り当て済みであれば、本方法はステップＳ１０に進む。
【００２５】
【表３】
2009512036.tif 000004
ステップＳ１０では、プラントの組織単位の安全性評価においてさらなる人物が含められるべきかどうか、あるいは集められたデータの処理がステップＳ１１に続くべきかどうかが判定される。ユーザー・インターフェース６では、ユーザーが、たとえばインタビュー者が、この決定をコマンド・ボタン６８によって制御できる。たとえば、「新規」コマンド・ボタンをクリックすることによって、さらなる人物が追加でき、あるいは「処理」コマンド・ボタンをクリックすることによって、その組織単位についての諸側面別スコアの計算およびそのプラントについての諸全体的側面別スコアの計算が開始される。いかなる時点においても、入力されたデータは、「保存」コマンド・ボタンをクリックすることによって保存されたり、あるいは「取り消し」コマンド・ボタンをクリックすることによって無視されたりすることができる。追加的な機能、たとえば特定のプラント、監査、組織単位または人物に関係した保存された情報にアクセスし、これを管理するための諸機能が、図３には示されないプルダウン・メニューまたはコマンド・ボタンのような制御手段によって呼び出されることができる。特に、いかなる時点においても、さらなる人物、組織単位、プラントまたは監査を追加することが可能である。その組織単位のすべての人物についてのデータが記録され次第、たとえば人員リストに基づいて、ステップＳ１０の決定もコンピュータ１によって自動的になされることができる。
【００２６】
ステップＳ１１では、コンピュータ１の計算モジュール１４は、ステップＳ３で選択された組織単位についての諸側面別スコアを計算および保存する。表４は、ステップＳ１で定義されたプラントのすべての組織単位について計算された諸側面別スコアの例を示している。ある組織単位の諸側面別スコアは、コンピュータ１において、ステップＳ８でその組織単位に割り当てられた安全性関連側面についてすべてのスコアを足し合わせることによって計算される。好ましくは、側面別スコアは、組織単位においてインタビューされる人物の人数によって調整される（割られる）。しかしながら、質問についてのいずれかの答えが最悪ケース・スコア（「0」）をもって格付けされていた場合、その組織単位についてのその側面別スコアは、その個別の質問に割り当てられたその安全性関係側面について最悪ケースのスコアに設定される。たとえば、表３において見て取れるように、側面「連絡」に関係した質問q23は組織単位「エンジニアリング」について最悪ケースのスコアをもって格付けされている。よって、表４に示されるように、組織単位「エンジニアリング」については、やはり側面「連絡」に関係した質問q24が最良ケースのスコアをもって格付けされたという事実にもかかわらず、側面「連絡」には最悪ケースの側面別スコアが割り当てられる。実施形態に依存して、一人の人物の答えの最悪ケースの格付けが最悪ケースの側面別スコアに十分であるか、最悪ケースの側面別スコアのためには組織単位のすべての人物の答えが最悪ケースのスコアをもって格付けされる必要がある。ある組織単位の幾人かのインタビュー対象者の答えからのスコアについて定義されるある閾値に基づいて、最悪ケースの側面別スコアを割り当てることも可能である。
【００２７】
【表４】
2009512036.tif 000005
表４では、たとえば組織単位「経営トップ」によって到達される「連絡」についての側面別スコアは7となっており、これに対し、組織単位「損失防止」によって到達される「一般的安全性」についての側面別スコアは16となっている。
【００２８】
ステップＳ１２では、コンピュータ１の計算モジュール１４は、そのプラントの組織単位についての全体的側面別スコアを計算し、保存する。あるプラントの全体的側面別スコアは、コンピュータ１によって、各安全性関連側面について、ステップＳ１１で計算され、保存されたそのプラントの諸組織単位のそれぞれの側面別スコアを足し合わせることによって計算される。表５は、ステップＳ１で定義されたプラントについて計算された全体的側面別スコアの例を示している。ある実施形態では、個別の最悪ケースの側面別スコアがそのプラントの組織単位のうちのただ一つ（または複数）に割り当てられていれば、その組織の全体的側面別スコアに最悪ケースのスコアが割り当てられる。
【００２９】
ステップＳ１３では、安全性評価にさらなる組織単位が含められるべきかどうか、あるいは集められたデータの処理がステップＳ１４に続くべきかどうかが判定される。ユーザー・インターフェース６では、ステップＳ１０のコンテキストで論じたように、ユーザーが、たとえばインタビュー者が、この決定をコマンド・ボタン６８によって制御できる。
【００３０】
【表５】
2009512036.tif 000006
ステップＳ１４では、コンピュータ１の出力モジュール１５がステップＳ１ないしＳ１２で決定された側面別スコアに基づいて安全性評価のグラフィック表現を生成する。組織単位またはプラントの安全性評価はそれぞれ、組織単位の側面別スコアまたはプラントの全体的側面別スコアによってそれぞれ確立される。グラフィック表現は、コンピュータ１によってディスプレイ１７上に表示され、あるいはプリンタ４でプリントされた報告５として再現される。好ましくは、安全性評価（単数または複数）は、一つの共通のグラフに表示され、それにより（全体）側面別スコアの最良ケースのスコアからの不足が視覚化され、組織単位についてもプラントについても、安全性関連側面どうしの間の違いが視覚化される。図４ａおよび図４ｂに示されるように、グラフィック表現は好ましくはいわゆるスパイダーまたはレーダー図（spider  or  radar  diagram）の形である。しかしながら、グラフィック表現はたとえば棒グラフの形など、代替的な形でもよい。
【００３１】
図４ａおよび図４ｂに示されている例を参照すると、六角形のスパイダー（レーダー）図で、組織、資源、連絡、訓練、手順、緊急事態対策および一般的安全性という安全性関連側面について側面別スコアが呈示されている。各頂点は安全性関連側面の一つに割り当てられている。同一または側面別のスケールが、最悪ケースのスコアを示す中心点２０から頂点まで描かれている。周２１は最良ケースのスコアを示す。黒塗りの形２は、組織単位のうちの一つの諸側面別スコアをもつ、あるいはプラントの諸全体的側面別スコアをもつ、監査または安全性評価を表す。見て取れるように、組織単位またはプラントについてそれぞれ、表示される監査または安全性評価は、手順という安全性側面について最悪ケースのスコアを示し、訓練という安全性側面について最良ケースのスコアを示している。図４ｂでは、線２′が異なる時点での、たとえばのちの時刻における監査または安全性評価の例を表している。のちの監査または安全性評価に関連付けられた側面別スコアから、図４ｂのグラフにおいて、組織単位またはプラントがそれぞれ、一般的安全性、連絡および手順という安全性関連側面では著しい改善をされた一方、資源、組織および訓練における側面別スコアは維持されたことが、明確に見て取れる。
【００３２】
側面別スコアに基づいて、コンピュータ１は、プラントの組織単位のそれぞれについて安全性評価のグラフを生成する。全体的側面別スコアに基づいて、コンピュータ１は、プラントの安全性評価のグラフを生成する。たとえば、安全性評価はユーザー・インターフェース７上のディスプレイ１７に表示される。好ましくは、ステップＳ１４において、コンピュータ１は、ドロップダウン・リスト７１の選択フィールド内に、ステップＳ１で選択されたプラントの識別情報を示す。さらに、コンピュータ１は、ドロップダウン・リスト７１に割り当てられたラジオボタン７３ａを選択し、グラフィック・ウィンドウ７５内に選択されたプラントの現在の安全性評価のグラフを表示する。プラントの全組織単位について安全性評価が完了していない場合、コンピュータ１は、ドロップダウン・リスト７２の選択フィールドにおいて、ステップＳ３で選択された組織単位の識別情報を示す。さらに、コンピュータ１は、ドロップダウン・リスト７２に割り当てられたラジオボタン７３ｂを選択し、グラフィック・ウィンドウ７５内に選択された組織単位の現在の安全性評価のグラフを表示する。
【００３３】
ユーザー・インターフェース７は、ユーザーが、グラフィック・ウィンドウ７５内に表示されるべき監査または安全性評価を選択することを可能にする。ドロップダウン・リスト７１に割り当てられたラジオボタン７３ａを選択することによって、ドロップダウン・リスト７１で選択された全体的なプラントについての安全性評価が表示される。ドロップダウン・リスト７２に割り当てられたラジオボタン７３ｂを選択することによって、あるいはドロップダウン・リスト７２から組織単位の一つを選択することによって、ドロップダウン・リスト７２で選択された組織単位についての安全性評価が表示される。そのプラントについて保存されている、異なる時点についての複数の監査または安全性評価がある場合、適切なチェックボックス７４をチェックすることによって、監査の一つまたは複数が表示されるべく選択される。デフォルトで、そのプラントまたは組織単位についてのそれぞれ最も最近の監査に基づく安全性評価が表示される。図５に示した例では、表示のために選択されるのは、プラント「プロセス産業プラントＸ」の組織単位「エンジニアリング」についての第一および第二の監査に基づく安全性評価である。
【００３４】
上記の記述は主として、質問に対して与えられる答えに関連付けられるスコアに焦点を当てているが、スコアは（安全性）検査に関連付けられた個別の項目に割り当てられることもできる。図３に示されるように、質問についてのデータに加えて、安全性関連側面の一つに関係する検査項目の定義をもつ検査についてのデータも保存され、表示される。さらに、答えについてのデータに加えて、検査結果についてのデータも入力され、保存される。したがって、スコアは検査項目および組織単位にも割り当てられ、側面別スコアは検査項目に割り当てられたスコアに基づいても計算される。
【００３５】
ある組織単位の側面別スコアが所定の閾値を下回っている場合、コンピュータ１は改善の機会を指示する。たとえば、図５に示されるように、組織単位「エンジニアリング」の側面「手順」に関する側面別スコアが不十分であれば、コンピュータ１は、可能な改善のステップおよび領域を指示する。コンピュータ１は、それぞれの安全性側面に関係した質問に割り当てられたスコアに依存して可能な改善のステップおよび領域を決定する。一般に、低いスコアが割り当てられた質問が可能な改善のステップおよび領域を決定することになる。たとえば、コンピュータ１は可能な改善のステップおよび領域を、メモリ１２に保存されているテーブルから取得する。好ましくは、可能な改善のステップおよび領域は、エキスパート・システムによって決定される。
【図面の簡単な説明】
【００３６】
【図１】本発明の諸実施形態を実施するシステムの、ディスプレイ、プロセッサ、キーボードおよびメモリを有する例示的な構成を示すブロック概略図である。
【図２】本発明に基づいて実行されるステップのシーケンスの例を示す流れ図である。
【図３】本発明の諸実施形態の実行を制御するユーザー・インターフェースの例示的なレイアウトを示す図である。
【図４ａ】本発明に基づいて生成される、プラントの組織単位の安全性評価のグラフィック表現の例を示す図である。
【図４ｂ】異なる時点における、プラントの組織単位の安全性評価のグラフィック表現の例を示す図である。
【図５】本発明の諸実施形態の実行を制御するユーザー・インターフェースのさらなる例示的なレイアウトを示す図である。
【図１】
2009512036.tif 000007
【図２】
2009512036.tif 000008
【図３】
2009512036.tif 000009
【図４ａ】
2009512036.tif 000010
【図４ｂ】
2009512036.tif 000011
【図５】
2009512036.tif 000012